(57)【要約】【課題】遊技筐体内において、制御器側ハーネスを噛んで被覆が剥がれる、断線するなどと云った不都合が生じない装置の設置方法を提供する。【解決手段】コイン状部材送出装置１０を着脱可能に取り付けるために取着ベース部材１１の上に所定の間隔で対向設置されたガイドレール１２、１３の、一方のガイドレール１２にハーネス固定手段１７、１８を設け、そのハーネス固定手段１７、１８により制御器５１から延設された制御器側のハーネス５２をハーネス終端部から２０ｃｍ以下、３ｃｍ以上離間した部位で固定し、ハーネス終端部に取着したハーネスコネクタ５３を、コイン状部材送出装置１０側のハーネスが連結された装置側面部のハーネスコネクタ１９に連結して制御器側ハーネス５２とコイン状部材送出装置１０側ハーネスとの連結を行うようにした。また、ハーネスコネクタ１９は装置正面からは見えない位置に設けるようにした。【選択図】　　　　図１
2004041497.tif 000002
【特許請求の範囲】
【請求項１】
貯留部に貯留したコイン状部材を回転送出部材によって１枚づつ送出するコイン状部材送出装置が着脱可能に設置される取着ベース部材側に制御器側ハーネスをハーネス終端部から２０ｃｍ以下、３ｃｍ以上離間した部位で固定し、そのハーネス終端部に取着した制御器側ハーネスコネクタを、コイン状部材送出装置側ハーネスが連結されたコネクタに連結して制御器側ハーネスとコイン状部材送出装置側ハーネスとの連結を行うことを特徴とするコイン状部材送出装置の設置方法。
【請求項２】
制御器側ハーネスコネクタとコイン状部材送出装置側ハーネスコネクタとの連結が、コイン状部材送出装置の着脱方向と交叉する方向で行われることを特徴とする請求項１記載のコイン状部材送出装置の設置方法。
【請求項３】
コイン状部材送出装置に固定したコイン状部材送出装置側ハーネスコネクタに制御器側ハーネスコネクタを連結して制御器側ハーネスとコイン状部材送出装置側ハーネスとの連結を行うことを特徴とする請求項１または２記載のコイン状部材送出装置の設置方法。
【請求項４】
装置正面から視認不能にコイン状部材送出装置の側方に固定したコイン状部材送出装置側ハーネスコネクタに制御器側ハーネスコネクタを連結して制御器側ハーネスとコイン状部材送出装置側ハーネスとの連結を行うことを特徴とする請求項３記載のコイン状部材送出装置の設置方法。
【請求項５】
コイン状部材送出装置と取着ベース部材との係合／分離がワンタッチ操作で可能に設けられたことを特徴とする請求項１〜４記載のコイン状部材送出装置の設置方法。
【発明の詳細な説明】
【０００１】
【発明の属する技術分野】
この発明は、貯留してある硬貨、遊技用メダルなどのコイン状部材を１枚づつに分離しながら送出する機構を持つコイン状部材送出装置の設置方法に関する。
【０００２】
【従来の技術】
この種の装置としては、例えば図６に示したように、図示しないパチスロなどの遊技機を備えて構成される遊技装置５０などの内部に着脱可能に組み込み設置する際は、コイン状部材送出装置１０には遊技装置５０の制御器５１から延設されたハーネス５２が、コイン状部材送出装置１０のハーネスコネクタ１９に連結され、制御器５１から出力される制御信号により、コイン状部材送出装置１０の容器部２０内に貯留した図示しないコイン状部材を所要の数だけ排出するように構成されて、硬貨や遊技用のメダルを払い出す払出装置として供されている。
【０００３】
【発明が解決しようとする課題】
しかし、従来は制御器から延設したハーネスを自由に取り扱えるように特に固定したものではなかったので、コイン状部材送出装置をスライドさせて着脱する際にコイン状部材送出装置が制御器側のハーネスを噛み、▲１▼被覆が剥がれる、▲２▼制御線が断線する、などと云った不都合が生じることがあったので、コイン状部材送出装置を着脱する際にそのような不都合が生じることのないコイン状部材送出装置の設置方法を提供する必要があり、それが課題となっていた。
【０００４】
【課題を解決するための手段】
本発明は、上記従来技術の課題を解決するため、貯留部に貯留したコイン状部材を回転送出部材によって１枚づつ送出するコイン状部材送出装置が着脱可能に設置される取着ベース部材側に制御器側ハーネスをハーネス終端部から２０ｃｍ以下、３ｃｍ以上離間した部位で固定し、そのハーネス終端部に取着した制御器側ハーネスコネクタを、コイン状部材送出装置側ハーネスが連結されたコネクタに連結して制御器側ハーネスとコイン状部材送出装置側ハーネスとの連結を行うようにした第１の構成のコイン状部材送出装置の設置方法と、
【０００５】
前記第１の構成のコイン状部材送出装置の設置方法において、制御器側ハーネスコネクタとコイン状部材送出装置側ハーネスコネクタとの連結を、コイン状部材送出装置の着脱方向と交叉する方向で行うようにした第２の構成のコイン状部材送出装置の設置方法と、
【０００６】
前記第１または第２の構成のコイン状部材送出装置の設置方法において、コイン状部材送出装置に固定したコイン状部材送出装置側ハーネスコネクタに制御器側ハーネスコネクタを連結して制御器側ハーネスとコイン状部材送出装置側ハーネスとの連結を行うようにした第３の構成のコイン状部材送出装置の設置方法と、
【０００７】
前記第３の構成のコイン状部材送出装置の設置方法において、装置正面から視認不能にコイン状部材送出装置の側方に固定したコイン状部材送出装置側ハーネスコネクタに制御器側ハーネスコネクタを連結して制御器側ハーネスとコイン状部材送出装置側ハーネスとの連結を行うようにした第４の構成のコイン状部材送出装置の設置方法と、
【０００８】
前記第１〜第４何れかの構成のコイン状部材送出装置の設置方法において、コイン状部材送出装置と取着ベース部材との係合／分離がワンタッチ操作で可能に設けるようにした第５の構成のコイン状部材送出装置の設置方法と、
を提供するものである。
【０００９】
【発明の実施の形態】
以下、本発明の一実施形態を図１〜図５に基づいて詳細に説明する。なお、理解を容易にするため、これらの図においても前記図６において説明した部分と同様の機能を有する部分には、同一の符号を付した。
【００１０】
図１〜図５に示したように、コイン状部材送出装置１０の本発明の設置方法においては、コイン状部材送出装置１０は遊技装置５０の適宜の部位に設置された取着ベース部材１１の上に着脱可能に設置される。
【００１１】
取着ベース部材１１の上には、所定の間隔で据付用のガイドレール１２・１３が対向設置され、取着ベース部材１１と共同してガイドレール１２・１３の対向する部位に設けられたそれぞれの挿入用凹み部１２Ａ・１３Ａにコイン状部材送出装置１０のフレーム部材１４の両側に張出した係合用フラップ部１５が挿入されて、コイン状部材送出装置１０のガイドレール１２・１３方向への移動が規制されている。
【００１２】
また、取着ベース部材１１の背面側は起立して背面側ストッパー１１Ａとなり、その背面側ストッパー１１Ａにフレーム部材１４が当接するまで押し込まれたときに、フレーム部材１４の前面側に下方に付勢して取り付けたバネ機構を有する係合手段１６が、取着ベース部材１１の前面側に取り付けた前面側ストッパー１１Ｂと係合（ロック）してフレーム部材１４の前後方向の移動が規制され、係合手段１６をバネ機構に抗して引き上げるだけで係合手段１６と前面側ストッパー１１Ｂとの係合（ロック）が解除されて、フレーム部材１４の手前方向への引き出しが可能となっている。
【００１３】
そして、ガイドレール１２には、上部側に矢印状の外れ止め部を備えた２本の柱状部材からなるハーネス固定手段１７と、１本の柱状部材と締着紐からなるハーネス固定手段１８とが立設されている。
【００１４】
したがって、制御器５１から延設された制御器５１側のハーネス５２は、２本の柱状部材からなるハーネス固定手段１７に載せて上方から下方に押すだけで、外れ止め部を備えて並設された柱状部材同士の間に押し込まれ、その外れ止め部の存在により、力を加えて外れ止め部同士を離間させなければ、制御器５１側のハーネス５２はハーネス固定手段１７から外れることはないし、付属の締着紐により締着されると、ハーネス固定手段１８からも外れることはない。
【００１５】
そして、本発明のコイン状部材送出装置１０の設置方法においては、ハーネス固定手段１７、１８により取着ベース部材１１のガイドレール１２に固定される制御器５１側のハーネス５２は、ハーネスコネクタ５３が取着されたハーネス終端部側が移動可能に、ハーネス終端部から２０ｃｍ以下、３ｃｍ以上離間した部位で固定される。
【００１６】
したがって、ハーネスコネクタ５３をコイン状部材送出装置１０のフレーム部材１４の側面部に固定されたコイン状部材送出装置１０側のハーネスコネクタ１９に連結することで、制御器５１側のハーネス５２とコイン状部材送出装置１０側のハーネスとを分離可能に連結することができる。
【００１７】
なお、ハーネス５２のハーネス終端部から３ｃｍ未満の部位がハーネス固定手段１８によりガイドレール１２に固定されると、ハーネス５２の引き回せる長さが短過ぎて、その終端部に取着したハーネスコネクタ５３とコイン状部材送出装置１０側のハーネスコネクタ１９との連結／分離操作に支障をきたす。
【００１８】
また、ハーネス５２のハーネス終端部から２０ｃｍを越す部位がハーネス固定手段１８によりガイドレール１２に固定されると、ハーネス５２の引き回せる長さが長くなり過ぎ、ハーネス固定手段１８によりガイドレール１２に固定した効果が薄れ、コイン状部材送出装置１０の着脱時にハーネス５２が噛まれて被覆が破れる、制御線が断線する、などと云った不都合の解消が期待できなくなるので、制御器５１側のハーネス５２は前記範囲でガイドレール１２に固定される。
【００１９】
上記構成のコイン状部材送出装置１０の設置方法によれば、ハーネスコネクタ１９、５３同士の連結／分離が、コイン状部材送出装置１０の着脱方向に対し交叉する方向に位置し、しかも制御器５１から延設されたハーネス５２は、ハーネス固定手段１７、１８によって取着ベース部材１１のガイドレール１２にハーネス終端部から２０ｃｍ以下、３ｃｍ以上離間した部位で固定され、ハーネス終端部側の動きが制限されているので、コイン状部材送出装置１０を着脱する際にコイン状部材送出装置１０によりハーネス５２が噛まれて、被覆が破れる、制御線が断線する、などと云った不都合は生じない。
【００２０】
また、コイン状部材送出装置１０のフレーム部材１４と取着ベース部材１１とは、ワンタッチ操作で係合（ロック）が可能であり、またその解除が可能であるので、コイン状部材送出装置１０の着脱が簡単に行える。
【００２１】
また、コイン状部材送出装置１０側のハーネスコネクタ１９は、フレーム部材１４の正面部分の背面側に位置して、ハーネスコネクタ１９は勿論、ハーネスコネクタ１９に連結する制御器５１側のハーネスコネクタ５３も装置正面からは見えないように構成される。そのため、遊技客により、ハーネスコネクタ１９、５３の部分を針金などで悪戯され、遊技用コインなどを騙し取られる心配がない。
【００２２】
なお、本発明は上記実施形態に限定されるものではないので、特許請求の範囲に記載の趣旨から逸脱しない範囲で各種の変形実施が可能である。
【００２３】
例えば、制御器５１側のハーネス５２を固定するためのハーネス固定手段１７、１８は、制御器５１の側に設置するガイドレールに設けることが好ましいので、制御器５１との位置関係によっては取着ベース部材１０の右側に位置するガイドレール１３に設けるものであっても良い。
【００２４】
また、ハーネス固定手段１７、１８は、何れか一方のみを設けるものであっても良いし、同じ構成のものを複数設けることも可能である。
【００２５】
【発明の効果】
この発明によれば、コイン状部材送出装置を着脱する際に、ハーネスを噛んで被覆が破れる、制御線が断線する、などと云った不都合は生じない。そのため、コイン状部材送出装置の着脱が容易に、且つ、速やかに行えるようになった。
【００２６】
また、コイン状部材送出装置の正面から視認不能にコイン状部材送出装置の側方にコイン状部材送出装置側ハーネスコネクタを固定し、そこに制御器側ハーネスコネクタを連結して制御器側ハーネスとコイン状部材送出装置側ハーネスとの連結を行うときには、遊技客によりハーネスコネクタの部分を針金などで悪戯されて遊技用コインなどを騙し取られる心配がない。
【図面の簡単な説明】
【図１】本発明の設置方法を、装置設置状態において示す説明図である。
【図２】本発明の設置方法を、装置取り外し状態において示す説明図である。
【図３】ハーネスコネクタ同士の連結方法を示す説明図であり、（Ａ）は斜視説明図、（Ｂ）は断面説明図である。
【図４】本発明の設置方法を、装置設置状態において示す正面説明図である。
【図５】本発明の設置方法を、装置設置状態において示す側面説明図である。
【図６】従来の設置方法を示す説明図である。
【符号の説明】
１０　コイン状部材送出装置
１１　取着ベース部材
１１Ａ　背面側ストッパー
１１Ｂ　前面側ストッパー
１２・１３　ガイドレール
１２Ａ・１３Ａ　挿入用凹み部
１４　フレーム部材
１５　係合用フラップ部
１６　係合手段
１７、１８　ハーネス固定手段
１９　ハーネスコネクタ
２０　容器部
５０　遊技装置
５１　制御器
５２　ハーネス
５３　ハーネスコネクタ
【図１】
2004041497.tif 000003
【図２】
2004041497.tif 000004
【図３】
2004041497.tif 000005
【図４】
2004041497.tif 000006
【図５】
2004041497.tif 000007
【図６】
2004041497.tif 000008